(57)【要約】【課題】携帯端末を家などに置き忘れた場合に、外出先から留守番電話や着信を確認したり、受信したメールを設定しておいたアドレス、あるいは指定したアドレスに転送できたり、家のどこに携帯端末を置いたか忘れた場合に、モードに関係なく音声と振動で任意に鳴動させることができる携帯端末及び操作方法を提供する。【解決手段】携帯端末に電話をかけて、留守番電話機能が自動着信している状態で、あらかじめ指定された操作方法と暗証番号を用いて、発信側からトーン信号で操作したり、携帯端末にあらかじめ指定された書式で暗証番号を含むメールを送信することにより、留守番電話や不在着信や未読メールの確認、または設定の変更が行える。【選択図】  図２
2005136934.tif 000002
【特許請求の範囲】
【請求項１】
携帯端末において、留守番電話機能が自動着信している状態で、あらかじめ指定されている操作方法と暗証番号とを用いて、発信側からトーン信号で操作することによって、当該携帯端末にあった不在着信を確認できることを特徴とする携帯端末及び操作方法。
【請求項２】
前記不在着信の確認方法は、前記不在着信の発信元番号が通知されている場合に、前記発信元番号や着信時刻を音声で読み上げることを特徴とする請求項１記載の携帯端末及び操作方法。
【請求項３】
前記不在着信の発信元番号が通知されている場合で、前記発信元番号が当該携帯端末にあらかじめ登録されている場合には、その登録名を音声で読み上げてくれることを特徴とする請求項２記載の携帯端末及び操作方法。
【請求項４】
携帯端末において、ある特定の暗号を含むメールを当該携帯端末に送信すると、その送信元のアドレスに不在着信の発信元番号や時刻などの履歴を返信することを特徴とする携帯端末及び操作方法。
【請求項５】
携帯端末において、ある特定の暗号を含むメールを当該携帯端末に送信すると、そのメールの中で指定しているアドレスに不在着信の発信元番号や時刻などの履歴を返信することを特徴とする携帯端末及び操作方法。
【請求項６】
携帯端末において、留守番電話機能が自動着信している状態で、あらかじめ指定されている操作方法と暗証番号とを用いて、発信側からトーン信号で操作することによって、当該携帯端末にある未読メールをあらかじめ当該携帯端末に設定してあるアドレス、あるいは指定したアドレスに転送できることを特徴とする携帯端末及び操作方法。
【請求項７】
携帯端末において、ある特定の暗号を含むメールを当該携帯端末に送信すると、その送信元のアドレスに未読メールを返信することを特徴とする携帯端末及び操作方法。
【請求項８】
携帯端末において、ある特定の暗号を含むメールを当該携帯端末に送信すると、そのメールの中で指定しているアドレスに未読メールを返信することを特徴とする携帯端末及び操作方法。
【請求項９】
携帯端末において、留守番電話機能が自動着信している状態で、あらかじめ指定されている操作方法と暗証番号とを用いて、発信側からトーン信号で操作することによって、当該携帯端末にある未確認の不在メッセージを聞くことができることを特徴とした携帯端末及び操作方法。
【請求項１０】
携帯端末において、留守番電話機能が自動着信している状態で、あらかじめ指定されている操作方法と暗証番号とを用いて、発信側からトーン信号で操作することによって、モードに関係なく強制的に可聴音と振動で鳴動させることができることを特徴とする携帯端末及び操作方法。
【請求項１１】
請求項１０記載の携帯端末及び操作方法において、その可聴音は最初小さく、しだいに大きくなっていくことを特徴とする携帯端末及び操作方法。
【請求項１２】
ユーザが携帯端末を購入後に、その当該携帯端末に追加するアプリケーションソフトウェアによって実現可能となることを特徴とする請求項１、２、３、４、５、６、７、８、９、１０、又は１１記載の操作方法を実現する携帯端末用アプリケーションソフトウェア及び操作方法。
【発明の詳細な説明】
【技術分野】
【０００１】  本発明は、携帯端末に記録されている留守番電話による不在メッセージや着信履歴を確認したり、未読メールを転送させたり、任意に鳴動させることを遠隔で行うことに関する。
【背景技術】
【０００２】  従来は、携帯端末を家などに置き忘れた場合には、当該携帯端末にかかってくる電話や、メールの確認はできなかった。
【特許文献１】  特開２０００−２７８７５３号公報
【発明の開示】
【発明が解決しようとする課題】
【０００３】  携帯端末を家などに置き忘れて外出した場合、家に帰るまで当該携帯端末への着信内容の確認ができなかった。【０００４】    また、家の中のどこに置いたかを忘れて、マナーモードでかつ留守番電話機能が有効になっている場合、他の電話から着信させても短時間振動するだけで見つけるのが困難であった。
【課題を解決するための手段】
【０００５】  本発明では、携帯端末に電話をかけて、留守番電話機能が自動着信している状態で、あらかじめ指定されている操作方法と暗証番号を用いて、発信側からトーン信号で操作したり、携帯端末にあらかじめ指定された書式で暗証番号を含むメールを送信することによって、留守番電話を聞くことができたり、メールを転送できたり、着信を確認することができることを特徴とする。
【発明の効果】
【０００６】  携帯端末を家などに置き忘れた時に、外出先から容易に留守番電話に入っているメッセージを聞くことができたり、未読メールを指定のアドレスに転送できたり、誰から着信があったかなどの確認ができる。【０００７】  また、家などにいる時に、携帯端末をどこに置いたか忘れて、マナーモードでかつ留守番電話機能が有効になっている場合、他の電話から着信させても短時間振動するだけで、見つけるのが困難であったが、任意に鳴動させることで、当該携帯端末を容易に発見できる。
【発明を実施するための最良の形態】
【０００８】  図１に本発明の携帯端末の構成図を示す。図１に示すように当該携帯端末は無線部１、制御部３、操作部２、記憶部５、表示部４などから構成される。
【実施例１】
【０００９】  本発明の実施例について図２を参照し説明する。この実施例は、外出先から家などに置き忘れた携帯端末が受信した未読メールを予め設定されたアドレスに転送できる場合を示す。発信者は携帯端末に発信する（ステップＡ１）。当該携帯端末の留守番電話機能が自動着信する（ステップＡ２）。その状態時にトーン信号で、あらかじめ設定された暗証番号を入力する（ステップＡ３）。当該携帯端末は発信者が入力した暗証番号と記憶部５にあらかじめ設定された暗証番号とが一致するか否かを判断する（ステップＡ４）。判断の結果、暗証番号が一致しない場合は、自動的に切断する（ステップＡ８）。判断の結果、暗証番号が一致する場合は、あらかじめ指定されている操作方法をトーン信号で行う（ステップＡ５）。当該携帯端末がこの操作を認識できるか否かを判断する（ステップＡ６）。判断の結果、この操作が認識できない場合は、自動的に切断する（ステップＡ８）。判断の結果、認識できた場合は、あらかじめ設定してあるアドレスに記憶部５に記憶されている未読メールを転送する（ステップＡ７）。発信者は回線を切断し、動作を終了する（ステップＡ８）。
【実施例２】
【００１０】  本発明の実施例について図３を参照し説明する。この実施例は、家などにいる時に、携帯端末をどこに置いたか忘れて、マナーモードなどの場合に、モードに関係なく鳴動させて、当該携帯端末を発見できる場合を示す。発信者は携帯端末に発信する（ステップＢ１）。当該携帯端末の留守番電話機能が自動着信する（ステップＢ２）。その状態時にトーン信号であらかじめ設定された暗証番号を入力する（ステップＢ３）。当該携帯端末は発信者が入力した暗証番号と記憶部５にあらかじめ設定された暗証番号とが一致するか否かを判断する（ステップＢ４）。判断の結果、暗証番号が一致しない場合は、自動的に切断する（ステップＢ８）。判断の結果、暗証番号が一致する場合は、あらかじめ指定されている操作方法をトーン信号で行う（ステップＢ５）。当該携帯端末がこの操作を認識できるか否かを判断する（ステップＢ６）。判断の結果、この操作が認識できない場合は、自動的に切断する（ステップＢ８）。判断の結果、認識できた場合は、当該携帯端末を音声と振動で鳴動させる（ステップＢ７）。発信者は回線を切断し、動作を終了する（ステップＢ８）。
【実施例３】
【００１１】  本発明の実施例について図４を参照し説明する。この実施例は、外出先から家などに置き忘れた携帯端末が受信した未読メールを当該携帯端末にメールを送信することによって、その送信元のアドレス、あるいは送信メールの中で指定したアドレスに未読メールを転送する場合を示す。送信者は携帯端末にメールを送信する（ステップＣ１）。当該携帯端末がメールを受信する（ステップＣ２）。当該携帯端末は受信したメールに暗号が含まれているか否かを判断する（ステップＣ３）。判断の結果、暗号が含まれていない場合は、ステップＣ８へ進む。判断の結果、暗号が含まれている場合は、記憶部５に未読メールが有るか否かを判断する（ステップＣ４）。判断の結果、未読メールがない場合は、未読メールがないことを知らせるメッセージを転送し（ステップＣ９）、動作を終了する（ステップＣ８）。判断の結果、未読メールが有る場合は、受信したメール内に指定されたアドレスが有るか否かを判断する（ステップＣ５）。判断の結果、指定されたアドレスがない場合は、送信元のアドレスに記憶部５に記憶されている未読メールを転送し（ステップＣ６）、動作を終了する（ステップＣ８）。判断の結果、指定されたアドレスがある場合は、そのアドレスに記憶部５に記憶されている未読メールを転送し（ステップＣ７）、動作を終了する（ステップＣ８）。
【図面の簡単な説明】
【００１２】
【図１】  本発明の構成を示すブロック図である。
【図２】  本発明の実施例１を示すフローチャートである。
【図３】  本発明の実施例２を示すフローチャートである。
【図４】  本発明の実施例３を示すフローチャートである。
【符号の説明】
【００１３】  １  無線部
２  操作部
３  制御部
４  表示部
５  記憶部
【図１】
2005136934.tif 000003
【図２】
2005136934.tif 000004
【図３】
2005136934.tif 000005
【図４】
2005136934.tif 000006